(57)【要約】【課題】キュービクル式高圧受電設備や配電盤等に使用する電気機器収納用箱体内で、トランスや配線用遮断器への接触事故を回避するために配置される保護板を支持するための部品点数を少なくし、かつ、その脱着作業を容易にした電気機器収納用箱を提供する。【解決手段】高圧が負荷される電気機器を覆う保護板６と、該保護板６を支持する支持部材７とを備える電気機器収納用箱１であって、該支持部材７には、保護板の上下何れか一方の辺を支持する溝レール形状の支持用溝部（上溝部７１）と、保護板の他方の辺側に設けた固定部を係止固定する溝レール形状の固定用溝部（横溝部７２）とが一体形成され、該上溝部７１には、上下に隣接配置される保護板６の、何れか一方の保護板の端辺を支持し、該横溝部７２には、該上下に隣接配置される保護板６の、他方の保護板６に設けた固定部８を係止して固定する。【選択図】図３
2011030364.tif 000002
【特許請求の範囲】
【請求項１】
高圧が負荷される電気機器を覆う保護板と、該保護板を支持する支持部材とを備える電気機器収納用箱であって、
該支持部材には、保護板の上下何れか一方の辺を支持する溝レール形状の支持用溝部と、保護板の他方の辺側に設けた固定部を係止固定する溝レール形状の固定用溝部とが一体形成され、
該支持用溝部には、上下に隣接配置される保護板の、何れか一方の保護板の端辺を支持し、
該固定用溝部には、該上下に隣接配置される保護板の、他方の保護板に設けた固定部を係止して固定することを特徴とする電気機器収納用箱。
【請求項２】
該支持用溝部が該支持部材の上部に形成され、該固定用溝部が該支持部材の下部に形成され、該支持用溝部に、上下に隣接配置される保護板の、上段側の保護板の下端辺を支持し、
該固定用溝部に、上下に隣接配置される保護板の、下段側の保護板に設けた固定部を係止して固定することを特徴とする請求項１記載の電気機器収納用箱。
【請求項３】
該保護板に設けた固定部は、保護板の前面部に突出した摘部と、固定用溝部内で該摘部と連動して回転する係止片を備え、該係止片は、長辺を固定用溝部の溝幅に合わせて形成した略長方形状を有し、一対の対角に切り落とし加工を施したことを特徴とする請求項２記載の電気機器収納用箱。
【請求項４】
固定用溝部の開口部に突設した隆堤部の内側に、凹部を形成し、該凹部と係合する凸部を該係止片に形成したことを特徴とする請求項３記載の電気機器収納用箱。
【発明の詳細な説明】
【技術分野】
【０００１】
本発明は、屋外に設置するキュービクル式高圧受電設備や配電盤等に使用する電気機器収納用箱に関するものである。
【背景技術】
【０００２】
屋外に設置するキュービクル式高圧受電設備や配電盤等に使用する電気機器収納用箱体の内部には高電圧電線が引き込まれ、トランスや配線用遮断器に接続されている。人体保護の観点から、これらのトランスや配線用遮断器は、電気機器収納用箱体に配置され、電気機器収納用箱体の扉を開けて作業を行う作業者等がこれらの危険部位に接触する事故を回避するために、その前面を保護板で覆っている。
【０００３】
従来、該保護板を電気機器収納用箱体内で支持する手段として、電気機器収納用箱体の外枠を構成する枠フレームに直接ネジ止めをする方法が採用されてきた。しかし、保護板をネジ止めする当該方法では、保護板を脱着する際にネジ回しの作業が必要となり作業性が悪い問題や、ネジやネジ止め部材等の追加により該箱体を構成する部品点数が多くなるという問題があった。
【０００４】
該保護板を電気機器収納用箱体内で支持するためのその他の手段として、電気機器収納用箱体内に配設した保護板支持ガイド部材の溝部に該保護板の上部および下部をそれぞれ嵌め込んで支持させる構造が開示されている(特許文献１)。当該構造によれば、前記のネジ止め構造による作業性の問題は解消するが、前記ネジやネジ止め部材の代わりに、保護板の上部および下部をそれぞれ支持する保護板支持ガイド部材が複数必要となり、依然、該箱体を構成する部品点数が多い問題があった。
【先行技術文献】
【特許文献】
【０００５】
【特許文献１】実開平１−５８２０４号公報
【発明の概要】
【発明が解決しようとする課題】
【０００６】
本発明の目的は前記問題を解決し、キュービクル式高圧受電設備や配電盤等に使用する電気機器収納用箱体内で、トランスや配線用遮断器への接触事故を回避するために配置される保護板を支持するための部品点数を少なくし、かつ、その脱着作業を容易にした電気機器収納用箱を提供することである。
【課題を解決するための手段】
【０００７】
上記課題を解決するためになされた本発明の電気機器収納用箱は、高圧が負荷される電気機器を覆う保護板と、該保護板を支持する支持部材とを備える電気機器収納用箱であって、該支持部材には、保護板の上下何れか一方の辺を支持する溝レール形状の支持用溝部と、保護板の他方の辺側に設けた固定部を係止固定する溝レール形状の固定用溝部とが一体形成され、該支持用溝部には、上下に隣接配置される保護板の、何れか一方の保護板の端辺を支持し、該固定用溝部には、該上下に隣接配置される保護板の、他方の保護板に設けた固定部を係止して固定することを特徴とするものである。
【０００８】
請求項２記載の発明は、請求項１記載の電気機器収納用箱において、該支持用溝部が該支持部材の上部に形成され、該固定用溝部が該支持部材の下部に形成され、該支持用溝部に、上下に隣接配置される保護板の、上段側の保護板の下端辺を支持し、該固定用溝部に、上下に隣接配置される保護板の、下段側の保護板に設けた固定部を係止して固定することを特徴とするものである。
【０００９】
請求項３記載の発明は、請求項２記載の電気機器収納用箱において、該保護板に設けた固定部は、保護板の前面部に突出した摘部と、固定用溝部内で該摘部と連動して回転する係止片を備え、該係止片は、長辺を固定用溝部の溝幅に合わせて形成した略長方形状を有し、一対の対角に切り落とし加工を施したことを特徴とするものである。
【００１０】
請求項４記載の発明は、請求項３記載の電気機器収納用箱において、固定用溝部の開口部に突設した隆堤部の内側に、凹部を形成し、該凹部と係合する凸部を該係止片に形成したことを特徴とするものである。
【発明の効果】
【００１１】
本発明に係る電気機器収納用箱は、高圧が負荷される電気機器を覆う保護板を支持する支持部材を、保護板の上下何れか一方の辺を支持する溝レール形状の支持用溝部と、保護板の他方の辺側に設けた固定部を係止固定する溝レール形状の固定用溝部とが一体形成され、該支持用溝部には、上下に隣接配置される保護板の、何れか一方の保護板の端辺を支持し、該固定用溝部には、該上下に隣接配置される保護板の、他方の保護板に設けた固定部を係止して固定する構成とすることにより、保護板を支持するための部品点数を少なくし、かつ、その脱着作業を容易にし、作業効率の向上を可能とした。
【００１２】
請求項３記載の発明によれば、保護板に設けた固定部を、保護板の前面部に突出した固定用溝部の溝幅に合わせて形成した略長方形状を有し、一対の対角に切り落とし加工を施す構成とすることにより、回転角度の調節のための追加部品を用いることなく、容易に回転角度の調節を可能とした。
【００１３】
請求項４記載の発明によれば、固定用溝部の開口部に突設した隆堤部の内側に、凹部を形成し、該凹部と係合する凸部を該係止片に形成した構成により、当該部分を係合させて保護板を強固に取り付け可能とした。
【図面の簡単な説明】
【００１４】
【図１】本発明に係る電気機器収納用箱の正面図である。
【図２】図１の側面図である。
【図３】保護板の支持構造の説明図である。
【図４】支持部材の構造説明図である。
【図５】固定部の構造説明図である。
【図６】図３の側面図である。
【図７】図６のＡ-Ａ断面図である。
【図８】他の実施形態における保護板の支持構造の説明図である。
【発明を実施するための形態】
【００１５】
以下に本発明の好ましい実施形態を示す。
図１には、本発明に係る電気機器収納用箱の正面図を示し、図２には、図１の側面図を示している。この電気機器収納用箱は外郭フレーム１ａにより箱形状を形成し、この外郭フレーム１ａを前扉・背面板、側面板、天板等で覆ったものである。また、電気機器収納用箱１の内部には、機器取付のための機器取付用縦フレーム１１と機器取付用横フレーム１２が数本取り付けられている。機器取付用縦フレーム１１は前記外郭フレーム１ａにその機能を備えたものとしても良い。なお、図１および図２においては、内部形状を分かりやすくするため前扉・背面板、側面板を省略している。
【００１６】
電気機器収納用箱１の内部には、配電用変電所もしくは柱上変圧器の送・配電線路からの電圧を変圧させるトランス４や、トランス４への供給を遮断する遮断器（図示しない）が配置されている。該トランス４や配線用遮断器には、高電圧電線が引き込まれているため、人体と接触すると深刻な事故の要因となりうる。これらの機器は、電気機器収納用箱体に配置され、電気機器収納用箱体の扉を開けて作業を行う作業者等がこれらの高圧危険部位に接触する事故を回避するために、その前面を保護板６で覆っている。
【００１７】
保護板６は、該機器取付用縦フレーム１１に取り付けた支持部材７により着脱自在に支持されている。図１に示す本実施形態では、該支持部材７は、機器取付用縦フレーム１１上に３本取り付けられ、各支持部材７の間で２枚の保護板６が支持されている。ただし、支持部材７は電気電子収納用箱のフレーム１１にて数本を取り付ければよく、保護板６や支持部材７の数は特に限定されない。支持部材７のフレーム１１への取り付け方法は、ねじによる取り付けでも良いし、引掛部を形成しフレームの孔部に引掛けて取り付ける方法でも良い。また、保護板６の大きさによってその取り付け位置を調節することができる。これらの、支持部材７および保護板６は扉を開けることによって視認することができる。
【００１８】
その他、図１および図２において、２は母線ユニット部であり、該母線ユニット部２は負荷へ電源を供給し、負荷で事故等起こった場合直ちに遮断を行う開閉器や負荷に流れる電流値や電圧値等を計測する計器類やランプ等を取り付けたメーターパネル１３を搭載するものである。該母線ユニット部２の垂直方向には、分岐開閉器（図示しない）へ電気を供給する３本の母線２２がそれぞれ平行に設置されている。なお、前記母線ユニット部２は分岐開閉器を搭載しない箇所では母線２２に触れることを防止するため保護カバー（図示しない）を装着するものとしている。
【００１９】
図３には、本発明における保護板６の支持構造の説明図を示している。図４には、保護板６の支持する支持部材７の構造説明図を示し、図５には、保護板６に設けた固定部８の構造説明図を示している。また、図６には、図３の側面図を示し、図７には、図６のＡ-Ａ断面図を示している。
【００２０】
支持部材７は、図３〜図４に示すように、それぞれ上端に保護板６の下端縁６１を係合する支持用溝部である上溝部７１の上部を開口させて形成して、該上溝部７１の下方に該上溝部７１の下端の前後中央を先端面とした前面を開口させた固定用溝部である横溝部７２を設け、該横溝部７２の開口部７２ａの先端内側に隆堤部７２ｂを突設したものである。隆堤部７２ｂは、内側に凹部７２ｃを設けている。
【００２１】
保護板６に設けた固定部８は、図５に示すように保護板６の前面部に突出する摘部８１と、支持部材７の横溝部７２内で該摘部と連動して回転する係止片８２と、摘部８１の抜けを防止する羽根部８３を供えている。保護板６には、係止片８２を挿入する孔部を設け、孔部に挿入するときに羽根部８３が撓むことにより挿入が可能となる。挿入後は羽根部８３が引っ掛かるために抜けることはない。
【００２２】
図５に示すように、該係止片８２は長辺を横溝部７２の溝幅に合わせて形成した略長方形状を有し、１対の対角に角部８２ｂ、他の対角は円弧状に切り落としとした切り落とし部８２ａを有する構造からなる。
【００２３】
図７に示すように、上記構造の係止片８２は、時計回りの方向は角部８２ｂが支持部材７に掛かり回転しない（図７（ｂ））。反時計回りの方向へは、切り落とし部８２aが支持部材７に掛からないために回転することができる。
【００２４】
図５に示すように、係止片８２の表面の内、摘部８１側の面には、少なくとも１つ以上の凸部８２ｃを形成している。図６および図７に示すように、摘部８１を操作して係止片８２を回転していくと、該凸部８２ｃが隆堤部７２ｂに当接するが、力を加えて更に回転させることにより、樹脂製のラッチが撓んで、支持部材７の横溝部７２の隆堤部７２ｂに形成した凹部７２ｃに係合し、保護板が強固に係止される（図７（ｃ））。それ以上は角部８２ｂが支持部材７に引っ掛かるため、回転することはできない。なお、図４に示すように、凹部７２ｃは支持部材７の長手方向にわたって構成されているので、トランス等の細かい振動によりラッチが動き保護カバーが外れたりすることがなく、力が加わらないと簡単には外れない構造となっている。
【００２５】
以下に、保護板の脱着方法を説明する。まず始めに、図３および図６に示すように、２本の支持部材７、７のうち下方の支持部材７の上端の上溝部７１に保護板６の下端縁６１を係合させて、上方の支持部材７の横溝部７２に保護板６に回動自在に設けた固定部８の係止片８２を挿入する。その後に図に示すように固定部８の摘部８１を操作して該係止片８２を回動して角部８２ｂを該横溝部７２の開口部７２ａの先端内側に突設した隆堤部７２ｂに係止させて、保護板６を保持部材７、７に保持させる。なお、係止片８２は前記横溝部７２の開口部７２ａの先端内側に突設した隆堤部７２ｂとの間を挿通できる細幅部と挿通できない縦長部により構成して摘部８１の回動操作により該係止片８２を回動して横溝部７２に係脱させるものである。
【００２６】
上記の本発明では、上記構造を有する同一形状の支持部材７、７を上下に２本配置して保護板を支持するため、保護板を支持するための部品点数が少なくなり製造及び部品管理が容易であるという効果や、保護板の脱着作業が容易であるという効果が得られ、作業効率の向上が図られる。また、保護板６を上下に増設する場合には同一の１本の支持部材７を取り付けるだけで対応できるものである。
【００２７】
図８には、他の実施形態における保護板６の支持構造の説明図を示している。図８（ａ）に示すように、溝部を両方とも横溝部にした構造でも良い。その場合はＬ字に形成した保護板を係止することが可能。また、図８（ｂ）に示すように、上溝部と横溝部を逆転する構造にしても良い。なお、摘部の変わりに支持部材の溝部にケージナット等でねじ取付部を形成しねじで固定する方法にしても良い。
【符号の説明】
【００２８】
１      電気機器収納用箱
１ａ    外郭フレーム
１１    機器取付用縦フレーム
１２    機器取付用横フレーム
１３    メーターパネル
２      母線ユニット部
２２    母線
４      トランス
６      保護板
６１    下端縁
７      支持部材
７１    上溝部
７２    横溝部
７２ａ  開口部
７２ｂ  隆堤部
７２ｃ  凹部
８      固定部
８１    摘部
８２    係止片
８２ａ  切り落とし部
８２ｂ  角部
８２ｃ  凸部
８３    羽根部
【図１】
2011030364.tif 000003
【図２】
2011030364.tif 000004
【図３】
2011030364.tif 000005
【図４】
2011030364.tif 000006
【図５】
2011030364.tif 000007
【図６】
2011030364.tif 000008
【図７】
2011030364.tif 000009
【図８】
2011030364.tif 000010